(57)【要約】【課題】使い捨ておむつに使用されるメカニカルファスナの雌雄両部材の係合を容易にする。【解決手段】使い捨ておむつの前後胴周り域を係脱可能に連結するメカニカルファスナの雌部材２３が、おむつ胴周り方向に伸縮可能な支持シート２７を介しておむつの裏面シート３外面に取り付けられ、胴周り方向に起伏を繰り返している。【選択図】図２
2005185854.tif 000002
【特許請求の範囲】
【請求項１】
縦方向及びこれと直交する幅方向と、
透液性表面シートと不透液性裏面シートとの間に吸液性コアが介在する積層パネルによって形成された、第１胴周り域、第２胴周り域及びこれら両域間に位置する股下域と、
前記第１胴周り域の各側縁部に配設されたメカニカルファスナのシート状の雄部材及びこれと離脱可能に係合し前記第２胴周り域における前記裏面シートの外面に配設された前記ファスナの雌部材とを含む使い捨ておむつにおいて、
内面及び外面を有して前記幅方向に延在し該幅方向に伸縮可能な支持シートを含み、
前記雌部材が、前記支持シートの前記外面に、前記支持シートを前記縦方向に横切るほぼ全長にわたり、かつ、前記幅方向に所要の間隔で延びる複数条の第１接合ラインを介して接合され、前記支持シートの収縮によって前記幅方向に起伏を繰り返しており、
前記幅方向に起伏を繰り返している前記雌部材が接合された前記支持シートが、前記裏面シートの前記外面に、前記支持シートを前記縦方向に横切るほぼ全長にわたり、かつ、前記幅方向に所要の間隔で延びる複数条の第２接合ラインを介して接合されていることを特徴とする前記使い捨ておむつ。
【請求項２】
前記第２接合ラインの各々が、前記第１接合ラインの各々の間に位置している請求項１に記載のおむつ。
【発明の詳細な説明】
【技術分野】
【０００１】
この発明は、使い捨ておむつに関し、より詳しくは、おむつの前後胴周り域を連結するためのメカニカルファスナを備えた該おむつに関する。
【背景技術】
【０００２】
従来、フックである雄部材とループである雌部材とで構成されたメカニカルファスナは周知である。また、使い捨ておむつの前後胴周り域をかかるファスナによって連結することは慣用技術として知られている。例えば、雄部材は、おむつの後胴周り域の側縁から延出するタブの内面に取り付けられ、雌部材は、前胴周り域外面の所要部位に取り付けられて雄部材のためのランディングゾーンを形成する。
【０００３】
前記ランディングゾーンは、おむつの裏面シートに収縮した弾性要素を介して接合したメカニカルファスナの雌部材（接合部材）で形成され、裏面シートと雌部材とがひだを付けられている（特許文献１参照）。
【特許文献１】特表平１１−５０００２８号公報
【発明の開示】
【発明が解決しようとする課題】
【０００４】
使い捨ておむつにおいては、それを着用する乳幼児の肌を刺激することがないようなメカニカルファスナを使用しなければならない。そのために、雄部材であれば、フック先端形状が刺激のないように形成される。また、雌部材であれば、ループに肌触りのよい柔軟な繊維が使用されたり、比較的径が大きくて柔軟に変形するループが使用されたりする。ところが、そのようなループは、倒伏して寝た状態になりやすく、おむつが包装状態にある間に倒伏したときの癖がつき、フックと係合しにくくなることがある。
【０００５】
特に、特許文献１では、雌部材を接合した裏面シートに張力が加わったような場合、付けられたひだは、不規則的で微細なものであると考えられるが、容易に消失する傾向がある。
【０００６】
この発明は、ループが柔軟な繊維で形成されていてもフックと容易に係合する雌部材を備えた使い捨ておむつの提供を課題にしている。
【課題を解決するための手段】
【０００７】
この発明に係る使い捨ておむつは、縦方向及びこれと直交する幅方向と、透液性表面シートと不透液性裏面シートとの間に吸液性コアが介在する積層パネルによって形成された、第１胴周り域、第２胴周り域及びこれら両域間に位置する股下域と、前記第１胴周り域の各側縁部に配設されたメカニカルファスナのシート状の雄部材及びこれと離脱可能に係合し前記第２胴周り域における前記裏面シートの外面に配設された前記ファスナの雌部材とを含む。
【０００８】
この発明に係る使い捨ておむつが特徴とするところは、さらに、下記事項を含むことにある。すなわち、
内面及び外面を有して前記幅方向に延在し該幅方向に伸縮可能な支持シートを含むこと。
前記雌部材は、前記支持シートの前記外面に、前記支持シートを前記縦方向に横切るほぼ全長にわたり、かつ、前記幅方向に所要の間隔で延びる複数条の第１接合ラインを介して接合され、前記支持シートの収縮によって前記幅方向に起伏を繰り返していること。及び、
前記幅方向に起伏を繰り返している前記雌部材が接合された前記支持シートは、前記裏面シートの前記外面に、前記支持シートを前記縦方向に横切るほぼ全長にわたり、かつ、前記幅方向に所要の間隔で延びる複数条の第２接合ラインを介して接合されていること。
【０００９】
前記第２接合ラインの各々は、前記第１接合ラインの各々の間に位置していることが好ましい。
【発明の効果】
【００１０】
この発明に係る使い捨ておむつにおいては、メカニカルファスナの雌部材が胴周りの左右方向で山と谷との起伏を繰り返しているから、その山の頂部では、雌部材のループ部分が起立する傾向にあり、雄部材との係合が容易である。
【００１１】
起伏する雌部材は、おむつの着用時、裏面シートに加わる引っ張りによって直接的に影響を受けないので、付与された起伏状態を常に維持することができる。
【００１２】
第２接合ラインの各々が第１接合ラインの各々の間に位置すると、雄部材の雌部材に対する係合がさらに容易に、かつ、確実になる。そのように位置すると、支持シートが前記幅方向における全長にわたってほぼ均しく伸長するとともに、雌部材がほぼ等しい高低を有する起伏を規則的に繰り返すことになるからである。
【発明を実施するための最良の形態】
【００１３】
添付の図面を参照し、この発明の詳細を説明すると、以下のとおりである。
【００１４】
図１において、使い捨ておむつ１は、透液性表面シート２と、不透液性裏面シート３と、これら両シート２，３間に介在する吸液性コア４とから構成されている積層パネルSを有する。この積層パネルSは、前胴周り域６と、後胴周り域７と、これら両域６，７間に位置する股下域８とを形成している。表裏面シート２，３は、コア４の周縁から延出する部分で互いに接合し、前後胴周り域６，７の端縁部１１，１２と、対向側縁部１３とを形成している。後胴周り端縁部１２には胴周り弾性部材１４が周り方向に延在し、股下域８の各側縁部１３には脚周り弾性部材１６が前後方向に延在している。これら弾性部材１４，１６は、伸長状態で表裏面シート２，３間に固定している。
【００１５】
後胴周り域７の各側縁部１３から延出するタブ２１の内面には、マジックテープ（商標）等で知られるメカニカルファスナの雄部材２２が取り付けられている。前胴周り域６の各側縁部では、裏面シート３外面にメカニカルファスナの雌部材２３が取り付けられ、この雌部材２３は、おむつの幅方向に延びていて、雄部材２２に対するランディングゾーンを画成している。
【００１６】
図２において、雌部材２３は、シート状でおむつの幅方向に非伸縮性であり、ホットメルト接着剤を塗布した複数条の第１接合ライン２６を介して支持シート２７に接合している。支持シート２７は、ホットメルト接着剤を塗布した複数条の第２接合ライン２８を介して裏面シート３に接合している。支持シート２７は、おむつ１の幅方向に弾性的に伸縮可能で、図では収縮した状態にある。第１及び第２接合ライン２６，２８は、おむつ１の縦方向へ支持シート２７を横切る全長にわたって、かつ、おむつの幅方向にほぼ等しい間隔で延びている。第１及び第２接合ライン２６，２８は、好ましくは、図示のように、裏面シート３、雌部材２３及び支持シート２７の重なり合う図２の断面状態で上下に重なり合わないこと、すなわち、第２接合ライン２８の各々が、第１接合ライン２６の各々の間に位置することである。
【００１７】
雌部材２３は、支持シート２７の収縮により、支持シート２７との接合部位が谷となる起伏を有し、その起伏がおむつ１の幅方向に繰り返され、それぞれの谷はおむつ１の縦方向へ延びている。雌部材２３は、山の頂部３１とその近傍において、ループ部分２３Ａが該部材２３を構成する基材シート部分２３Ｂから起立する傾向にあり、雄部材２２と係合し易い状態にある。ループ部分２３Ａのそのような傾向は、該部分２３Ａを構成する繊維が柔軟であっても、またループ部分２３Ａの径が大きく、ループの変形が容易であっても生じ易い。
【００１８】
図のように起伏を繰り返す雌部材２３は、伸長状態にある支持シート２７と雌部材２３とを第１接合ライン２６で間欠的に接合してから、支持シート２７を収縮させ、その後に支持シート２７と裏面シート３とを第２接合ライン２８で接合することで、得ることができる。
【図面の簡単な説明】
【００１９】
【図１】おむつの部分破断斜視図。
【図２】図１のＩＩ−ＩＩ線要部端面図。
【符号の説明】
【００２０】
１      おむつ
２      表面シート
３      裏面シート
４      コア
６      第１胴周り域
７      第２胴周り域
８      股下域
２２    雄部材
２３    雌部材
２６    第１接合ライン
２７    支持シート
２８    第２接合ライン
Ｓ      積層パネル
【図１】
2005185854.tif 000003
【図２】
2005185854.tif 000004